【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
消費者が飲料に化学的不純物が加えられたかどうかをリアルタイムでテストすることを可能にする検出器であって；
前記飲料の特性の測定値を得るために前記飲料の中に挿入可能なプローブと；
前記プローブに結合する処理手段と；
前記処理手段に結合するインディケータと；
前記飲料の特性のベースライン測定値を記憶するために前記処理手段に結合する記憶手段と；
前記飲料の特性のベースライン測定値を取得すべきことを前記処理手段に表示するよう消費者によって作動可能な入力手段と；
一旦前記ベースライン測定値が前記記憶手段に記憶されると、細工を防止するため前記記憶手段中の前記ベースライン測定値をロックするよう作動可能な手段とを備え；
前記処理手段は、前記入力手段に応答し、前記プローブからの信号を受信し、前記信号を前記飲料の特性のベースライン測定値として前記記憶手段に記憶し；
前記入力手段は、更に、前記飲料の特性のベースライン測定値をテストするために取得すべきことを前記処理手段に表示するよう消費者によって作動可能であり；
前記処理手段は、前記入力手段に応答し、前記プローブからの信号を受信し、前記受信した信号を前記記憶手段に記憶された前記ベースライン測定値と比較して、前記プローブがその中に挿入される前記飲料が化学的不純物を含むかどうかをテストするように構成され；
前記処理手段は、前記飲料が前記化学的不純物を含むと判定される場合に前記インディケータを作動させるように構成される；
検出器。
【請求項２】
前記プローブが電位の供給源に対して選択的に接続可能であり、前記プローブが前記供給源に接続されていて、前記プローブから出力される前記信号が前記飲料の反応に対応するとき、前記反応が測定され得る；
請求項１に記載の検出器。
【請求項３】
前記プローブが前記供給源に接続されているとき、前記飲料に対して電界が印加され、前記プローブは、前記電界に対する前記飲料の前記反応を測定するように構成される；
請求項２に記載の検出器。
【請求項４】
前記記憶されたベースライン測定値は、前記飲料が化学的不純物を含まないときに前記飲料の前記反応に対応し、前記処理手段は、前記ベースライン測定値からの前記反応の変化が閾値を上回るときに前記飲料が前記化学的不純物を含むと判定する；
請求項１乃至請求項３のいずれか１項に記載の検出器。
【請求項５】
前記プローブは、前記飲料の導電性を測定するように構成される；
請求項１乃至請求項４のいずれか１項に記載の検出器。
【請求項６】
前記プローブは、前記飲料のpHを測定するように構成される；
請求項１乃至請求項５のいずれか１項に記載の検出器。
【請求項７】
前記プローブは、二つの電極を備え、使用に際して、前記二つの電極の間に電位が印加され、前記二つの電極の間において前記飲料の抵抗を測定する；
請求項１乃至請求項６のいずれか１項に記載の検出器。
【請求項８】
前記飲料の中に普通に挿入されるアイテムに類似するように構成された検出器ハウジングを備える；
請求項１乃至請求項７のいずれか１項に記載の検出器。
【請求項９】
前記プローブは、周囲の状況に反応する前記飲料の可変特性を測定するための手段を備え、前記処理手段は、前記可変特性の変化から結果として生じる前記受信した信号の変化を補償するための手段を備える；
請求項１乃至請求項８のいずれか１項に記載の検出器。
【請求項１０】
前記可変特性が温度である；
請求項９に記載の検出器。
【請求項１１】
飲料に化学的不純物が加えられたかどうかをリアルタイムでテストする方法であって；
販売の時点においてあるいはその直後に飲料の特性の測定値を得るのために前記飲料の中に検出器のプローブを挿入する第１工程と；
処理手段を前記プローブに結合させ、前記処理手段が前記プローブから信号を受信し、該受信した信号を前記飲料の特性のベースライン測定値として前記検出器の記憶手段に記憶するよう前記検出器を作動させる工程と；
前記第１行程の後の時点で、前記飲料の特性の再測定値を得るために前記飲料の中に前記検出器の前記プローブを挿入する第２工程と；
処理手段に前記プローブから信号を受信させるよう前記検出器を作動させる工程であって、前記処理手段が、前記受信した信号を前記記憶手段に記憶された前記ベースライン測定値と比較して、前記プローブが挿入された前記飲料が化学的不純物を含むかどうかテストし、前記飲料が前記化学的不純物を含むと判定された場合に、前記検出器を作動させるよう構成された行程とを備える；
方法。
【請求項１２】
前記飲料に電界を印加して、前記電界に対する前記飲料の前記反応を測定する工程を備える；
請求項１１に記載の方法。
【請求項１３】
前記ベースライン測定値は、前記飲料が化学的不純物を含まないときに前記飲料の前記反応に対応し；
前記ベースライン測定値からの前記反応の変化が閾値を上回るかどうかを判定することによって、前記プローブがその中に挿入される前記飲料が前記化学的不純物を含むかどうかを判定する工程を備える；
請求項１２に記載の方法。
【請求項１４】
前記飲料の前記導電性の測定によって反応を測定する工程を備える；
請求項１１乃至請求項１３のいずれか１項に記載の方法。
【請求項１５】
前記化学的不純物がGHBであるか、または体内においてGHBに変化するGHBの化学的類似体である；
請求項１１乃至請求項１４のいずれか１項に記載の方法。
【請求項１６】
前記化学的不純物がGHBであるか、または体内においてGHBに変化するGHBの化学的類似体である；
請求項１乃至請求項１０のいずれか１項に記載の検出器。
【手続補正２】
【補正対象書類名】明細書
【補正対象項目名】００３７
【補正方法】変更
【補正の内容】
【００３７】
セキュリティのためには、検出器は、記憶手段16内のベースラインをロックして、無人で放置されていた場合に検出器が細工されてしまうことを防止するための手段を含んでもよい。そのようなロック手段は、記憶手段がベースラインを変更する前に、ユーザーがコードを入力することを要求してもよい。ロック手段は、それに加えてあるいは代替的に、検出器15のすべてまたは任意の他の機能性をロックするように作動可能であってもよい。
【手続補正３】
【補正対象書類名】明細書
【補正対象項目名】図面の簡単な説明
【補正方法】変更
【補正の内容】
【図面の簡単な説明】
【００６８】
本発明が良く理解され得るように、例証としてのみ提示されるその若干の実施の形態が、ここでは、以下のような添付図面を参照して説明される。
【図１】図1は、検出器の機能性を示すフローダイアグラムである。
【図２】図2は、検出器の側面図である。
【図３】図3aは、図2に示した検出器の平面図である。
図3bは、図２の検出器の底面図である。
【図４】図4は、検出器の電子回路を示す回路図である。
【図５】図5は、検出器の電子回路のもう一つの構成の機能性を示すフローダイア    グラムである。
【図６】図6は、作動の際における検出器を示すフェーズダイアグラムである。
【符号の説明】
１  飾り傘部分  
２  赤色ＬＥＤ
３  緑色ＬＥＤ
４  ステム
５  電極
６  電極
８  スイッチ
１０  集積チップ
１２  導電性測定手段
１３  処理手段
１４  入力手段
１５  検出器
１６  記憶手段
１７  プローブ
１８  記憶手段
２０  コンパレータ手段
２２  制限数値記憶手段
２４  赤色ＬＥＤ
２６  緑色ＬＥＤ
２８  温度補償器
３０  電子回路
３２  ホイートストンブリッジ
３４  プローブ
３５  緑色ＬＥＤ
３６  サーミスタ
３８  ブリッジ励磁手段
４０  クロック構成回路
４２  コンパレータ
４４  フェーズ検出器
４６  ロジック回路
４８  緑色ＬＥＤ
５０  赤色ＬＥＤ